(57)【要約】【課題】ブラシ毛の収納もしくは押出しを選択でき、どちら状態においても滑動台の位置が定まる除塵ブラシを提供する。【解決手段】主体３は、筐部として形成され、前記筐部の最上端後部に直滑動槽３１を有し、直滑動槽３１の最前端には凸縁孔３２を設ける。滑動台４は、主体３内に組み込まれ、前段にはブラシ毛４１を有し、後段には台座体４２を有し、台座体４２の末端には湾曲する上滑動片４３および下滑動片４４を設け、上滑動片４３の末端に凸縁４５を設け、凸縁４５は凸縁孔３２を経由して直滑動槽３１内で滑動する。滑動台４を位置決めさせる構成は直滑動槽３１の末端に設け、開槽３３、停止縁３３１および停止縁３３２から構成され、凸縁４５が開槽３３および停止縁３３１、停止縁３３２で位置決めされる。【選択図】図３
0003139404.tif 000002
【実用新案登録請求の範囲】
【請求項１】
筐部として形成され、前記筐部の最上端後部に直滑動槽を有し、前記直滑動槽の最前端に凸縁孔を設け、前記直滑動槽の末端に開槽および二つの停止縁を設ける主体と、
前段にブラシ毛を有し、後段に台座体を有し、前記台座体の末端に二つの湾曲する上滑動片および下滑動片を設け、前記上滑動片の末端に凸縁を設ける滑動台とを備え、
前記滑動台は前記主体内に組み込まれ、前記凸縁は前記凸縁孔を経由して前記直滑動槽内で滑動し、前記凸縁は前記開槽および二つの前記停止縁で位置決めされることを特徴とする除塵ブラシ。
【請求項２】
前記直滑動槽の槽辺に配列された複数の凸点を設け、前記凸縁の縁側に配列された複数の凹陥を設け、前記凸縁は前記凸点と前記凹陥を掛合することにより位置決めされることを特徴とする請求項１記載の除塵ブラシ。
【考案の詳細な説明】
【技術分野】
【０００１】
本考案は、除塵ブラシに関し、特に、ブラシ毛の収納もしくは押出しを選択でき、どちら状態においても滑動台の位置が定まる除塵ブラシに関する。
【背景技術】
【０００２】
時代が変わり、環境が変わり、科学技術が進歩し、日常生活に於けるテレビ、電話もしくはファックスからパソコンまで、その技術の進歩にはめざましいものがある。これらの技術製品が多くなればなるほど、埃や塵の除去が重要になる。これらの埃をしばらく掃除しないでおくと、製品の寿命を縮めてしまうこともある。このため、埃や塵を処理する道具、例えば、乾いた雑巾、濡れ雑巾、静電気取り布もしくは静電気取り紙静電紙が相当量開発されている。しかし、これらを使用しても埃や塵を有効に取り除くことができず、場合によってはこれら製品を壊してしまうこともある。
【０００３】
図１に示すのは、登録実用新案第３０６６２８２号の除塵ブラシの斜視図である。その除塵ブラシは、主体１、滑動台２、ブラシ毛２１を備え、主体１の最上端後部には直滑動槽１１を有し、直滑動槽１１の最前端には凸縁孔１２を設ける。滑動台２は、主体１の長さ、内径の大きさに合わせており、滑動台２の前段に歯ブラシ毛２１を設け、後段には台座体２２を設ける。台座体２２の長さはちょうど主体１の直滑動槽１１と長さが同じで、且つ台座体２２の末端には二本の湾曲可能な上滑動片２３および下滑動片２４を有し、上滑動片２３の末端には凸縁２５を設ける。
【０００４】
上記を組み立てる時、滑動台２の台座体２２の上滑動片２３、下滑動片２４端を微かに湾曲させるだけで、滑動台２の台座体２２が主体１内部に入り、上滑動片２３末端の凸縁２５がちょうど主体１の直滑動槽１１前端の凸縁孔１２に嵌入することにより、台座体２２は主体１と位置決めされた状態になる。
反対に、台座体２２を取り出したい時には、凸縁２５を凸縁孔１２底まで押すだけで、凸縁孔１２から離脱し、台座体２２を主体内部から取り出すことができる。
【０００５】
一般に、正常使用時には、滑動台２の凸縁２５を主体１の直滑動槽１１前端の凸縁孔１２内に嵌入するだけで、滑動台２の台座体２２がちょうど主体１内部の前端に収納され、ブラシ毛２１は主体１外端に完全に露出する。これによって、除塵作業を行うことができ、掃除が終了して収納する時は、凸縁２５を主体１の直滑動槽１１の後方へ移動させるだけでよく、凸縁２５を直滑動槽１１の末端に移動させると、滑動台２は同時に台座体２２およびブラシ毛２１を動かし、主体1内部に完全に収納される。反対に収納したものを再び使用する時は、凸縁２５を前方向に直滑動槽１１前端の凸縁孔１２内まで押して移動し、ブラシ毛２１を主体１外端に出すことにより、スムーズに操作できる。このような従来の除塵ブラシにはいくつもの長所があるが、下述の問題点もある。
【０００６】
従来の除塵ブラシの構成では、滑動台２を奥まで収納した後滑動台２の位置を定める構成がないため、滑動台２が有効に位置決めされず、勝手に移動してしまう問題点があった。
また、従来の除塵ブラシの構成では、滑動台２を押出していない時、主体１を直立させた場合、図２に示すように滑動台２が自然に滑り落ち、ブラシ毛２１が滑り出てしまう問題点があった。
そのため、上述の従来の除塵ブラシに存在する問題点を解決し、実用性の高い除塵ブラシを提供する必要がある。
【０００７】
【特許文献１】登録実用新案第３０６６２８２号公報
【考案の開示】
【考案が解決しようとする課題】
【０００８】
本考案が解決しようとする課題は、従来の除塵ブラシにおいて、滑動台を収納して最も奥まで下げた時、位置決めさせる構成がないために滑動台が有効に位置決めされることができず任意に移動してしまう点を改め、滑動台が勝手に移動しない除塵ブラシを提供することにある。
また本考案が解決しようとするもう一つの課題は、滑動台を押出していない時、主体を直立させると、滑動台が自然に滑り出て使用しにくい点を改め、主体を直立させても滑動台の滑り出ない除塵ブラシを提供することにある。
【課題を解決するための手段】
【０００９】
本考案のブラシは、筐部として形成され、前記筐部の最上端後部に直滑動槽を有し、前記直滑動槽の最前端に凸縁孔を設け、前記直滑動槽の末端に開槽および二つの停止縁を設ける主体と、
前段にブラシ毛を有し、後段に台座体を有し、前記台座体の末端に二つの湾曲する上滑動片および下滑動片を設け、前記上滑動片の末端に凸縁を設ける滑動台とを備え、
前記滑動台は前記主体内に組み込まれ、前記凸縁は前記凸縁孔を経由して前記直滑動槽内で滑動し、前記凸縁は前記開槽および二つの前記停止縁で位置決めされることを特徴とする
【００１０】
従来は、ブラシ毛を使用しない時、重力で滑動台が滑り出てしまい、安定しない状態となり、使用上の問題があったが、本考案では、直滑動槽の末端に直滑動槽より大きい開槽を設け、開槽は直滑動槽で二つの停止縁を形成し、これによって、凸縁が開槽に嵌入された後、開槽および停止縁で位置決めされ、滑動台が滑り出ない。
本考案は、構成が簡単なだけではなく、空間を取らず、使用が容易で、携帯にも便利である。
（考案の効果）
【００１１】
本考案の除塵ブラシは、下述の利点を有する。
１．従来の技術は、滑動台を最も奥まで収納した時に滑動台の位置を定める構成がないため、有効に位置決めさせることができず勝手に移動してしまう問題があった。本考案では、滑動槽の末端に開槽および二つの停止縁を設け、滑動台を末端へ収納する時、開槽に位置決め效果があるために位置決めされ、滑動台が任意に移動しない。
２．従来の技術は、主体を直立した時に滑動台が勝手に滑り出てしまう問題があった。本考案では、主体の直滑動槽の末端に直滑動槽より径幅の広い開槽および二つの停止縁を設け、滑動台の位置を定めるめの開槽と二つの停止縁により、最も奥へ押された滑動台は有効に位置決めされ、主体が直立した時に滑動台は勝手に滑り出ない。
【考案を実施するための最良の形態】
【００１２】
以下、本考案の実施例を図面に基づいて説明する。
【００１３】
（第１実施例）
本考案の第１実施例による除塵ブラシを図３に示す。
主体３は筐部として形成され、前記筐部の主体の最先端後部には直滑動槽３１を有する。直滑動槽３１の最前端には凸縁孔３２を設け、直滑動槽３１の末端には開槽３３、停止縁３３１および停止縁３３２を設け、位置決めのための構成を形成する。
【００１４】
滑動台４は、主体３内に嵌入される。滑動台４は主体３の長さ、内径の大きさに合わせられ、滑動台４の前段にはブラシ毛４１を有し、後段には台座体４２を有する。台座体４２の長さはちょうど主体３の直滑動槽３１の長さと同じで、且つ台座体４２の末端には湾曲可能な上滑動片４３および下滑動片４４を設け、上滑動片４３の末端に凸縁４５を設ける。
【００１５】
組立てる場合、図５に示すとおり、滑動台４（図３参照）の台座体４２の上滑動片４３、下滑動片４４の端部を少々湾曲させるだけで、滑動台４の台座体４２が主体３内部に嵌入される。上滑動片４３末端の凸縁４５はちょうど主体３の直滑動槽３１前端の凸縁孔３２に嵌入されるので、台座体４２は主体３と一体に組み合わさり、除塵ブラシを構成する。反対に、台座体４２を取り出したい時は、凸縁４５を凸縁孔３２底まで押すことにより、凸縁孔３２から簡単に離脱して、台座体４２を主体３内部から取り出す。
【００１６】
一般の正常使用の時には、図４、図５に示すとおり、滑動台４（図３参照）の凸縁４５を主体３の直滑動槽３１前端の凸縁孔３２内に嵌入するだけでよく、この時、滑動台４の台座体４２（図３参照）はちょうど主体３内部の前端に収納され、ブラシ毛４１は完全に主体３外端に露出する。このようにして一般の除塵作業を行い、掃除が完了して収納する時には、凸縁４５で主体３の直滑動槽３１を後方へ移動させると、凸縁４５が直滑動槽３１の末端まで移動して開槽３３で位置決めされる。
【００１７】
この時、滑動台４が台座体４２およびブラシ毛４１を動かし、主体３内部に完全に収納され、凸縁４５が開槽３３、停止縁３３１および停止縁３３２で位置決めされる。主体３は直立し、滑動台４も滑り出ない。反対に、再度使用したい場合、凸縁４５を前方向に押して直滑動槽３１前端の凸縁孔３２内まで動かす。ブラシ毛４１は主体３外端に現れ、操作が非常に簡単でスムーズである。
【００１８】
（第２実施例）
本考案の第２実施例による除塵ブラシを図６に示す。
主体３の直滑動槽３１の槽辺には、図６に示すとおり、配列した複数個の凸点３１１を設ける。また、滑動台４の凸縁４５の縁側には凹陥４５１を設ける。これらによって、滑動台４および凸縁４５は如何なる場所であっても、凸点３１１が凹陥４５１に掛合され、別の形式で位置決めされる。
【００１９】
上述のとおり、本考案の除塵ブラシは、滑動台収納時に滑動台を位置決め可能で、産業上の利用性を有する。
前述した本考案の実施例は、本考案の技術的特徴を説明するために提案されたものである。そのため、本考案の精神および原則の下での本考案に対する変更および修正はすべて本考案の請求の範囲に属する。
本考案は、除塵ブラシを提供し、本考案の目的を達成しており、その組立の空間形態は、未だ同類製品がないものである。
【図面の簡単な説明】
【００２０】
【図１】従来の除塵ブラシの斜視図である。
【図２】従来の除塵ブラシにおいて直立時の滑動台が自然に下滑動する状態を示す斜視図である。
【図３】本考案の第１実施例による除塵ブラシを示す斜視図である。
【図４】本考案の第１実施例による除塵ブラシの収納状態を示す斜視図である。
【図５】本考案の第１実施例による除塵ブラシの押出し状態を示す斜視図である。
【図６】本考案の第２実施例による除塵ブラシを示す斜視図である。
【符号の説明】
【００２１】
１：主体、２：滑動台、３：主体、４：滑動台、１１：直滑動槽、１２：凸縁孔、２１：ブラシ毛、２２：台座体、２３：上滑動片、２４：下滑動片、２５：凸縁、３１：直滑動槽、３２：凸縁孔、３３：開槽、４１：ブラシ毛、４２：台座体、４３：上滑動片、４４：下滑動片、４５：凸縁、５１：凹陥、３１１：凸点、３３１：停止縁、３３２：停止縁
【図１】
0003139404.tif 000003
【図２】
0003139404.tif 000004
【図３】
0003139404.tif 000005
【図４】
0003139404.tif 000006
【図５】
0003139404.tif 000007
【図６】
0003139404.tif 000008